(57)【要約】      （修正有）【課題】専用の工具を使用することなく、拡開締結ネジのボルトの締込みで締結する。【解決手段】キャップ２とホルダー３をボルト１に差し込んだ拡開締結ネジであって、キャップ２は、キャップ胴体２１と、キャップ脚部２３と、キャップ胴体２１の上部に接続した円盤状の爪付ワッシャー２２と、キャップ胴体２１に差込み貫通させたゴムパッキン２４からなり、キャップ胴体２１は円筒体で、その円筒体を下方向に延長させ、長尺状の切り込みをいれて複数個の細長片を形成し、各細長片を円筒体の中心軸に近づくように傾斜させたキャップ脚部２３を備え、ホルダー３は、円筒体であるホルダー胴体３１と、ホルダー胴体３１を上方向に延長させた円筒体に長尺状の切り込みをいれて複数個の細長片であるホルダー脚部３２とからなり、ホルダー胴体３１の円筒体の下端部には、ボルト１と螺合する円筒ナット３３を設けた。【選択図】図１
2011208734.tif 000002
【特許請求の範囲】
【請求項１】
長尺状のボルト1にキャップ２を貫通させ挿入し、ホルダー３を螺合させた拡開締結ネジであって、キャップ２は、キャップ胴体２１と、キャップ脚部２３と、キャップ胴体２１の上部に接続した円盤状の爪付ワッシャー２２と、キャップ胴体２１に差込み貫通させたゴムパッキン２４からなり、キャップ胴体２１は円筒体で、その円筒体を下方向に延長させ、長尺状の切り込みをいれて複数個の細長片を形成し、各細長片を円筒体の中心軸に近づくように傾斜させたキャップ脚部２３を備え、ホルダー３は、円筒体であるホルダー胴体３１と、ホルダー胴体３１の円筒体を上方向に延長させた円筒体に長尺状の切り込みをいれて複数個の細長片であるホルダー脚部３２とからなり、
ホルダー胴体３１の円筒体の下端部には、ボルト１と螺合する円筒ナット３３を設け、締結するときは、締結対象物に貫通孔を設け、その貫通孔に拡開締結ネジを通し、ボルト１を回転して締め続けると、円筒ナット３３の螺合によりホルダー胴体３１が上昇し、ホルダー脚部３２がキャップ脚部２３の傾斜にそって、ホルダー脚部３２が当接し、円状に外方向に広がり、締結対象物に当たり支持し、締結対象物を爪付ワッシャー２２とで挟むことにより締結対象物を締結することを特徴とする拡開締結ネジ。
【発明の詳細な説明】
【技術分野】
【０００１】
本発明は複数枚の板材を連結し締結する際に、特殊な工具を必要とせず、片側から施工することを可能にする拡開締結ネジに関する。          
【背景技術】
【０００２】
拡開締結ネジとして特許文献１等のように、長尺状のボルトと、複数の板材を締結するために拡開する拡開部で構成され、複数の板材等を締結するとき、貫通孔に拡開締結ネジを通し、予め専用の工具により拡開部を折れ曲げて、板材に当接するように拡開させた後、ボルトで締込を行っている。このように従来の拡開締結ネジでは、拡開部を開かせるために専用の工具が必要となる。
【先行技術文献】
【特許文献】
【０００３】
【特許文献１】特開２００４−１４４２７８公報
【発明の概要】
【発明が解決しようとする課題】
【０００４】
専用の工具を使用することなく、拡開締結ネジのボルトの締込みで締結する。
【課題を解決するための手段】
【０００５】
長尺状のボルト1にキャップ２を貫通させ挿入し、ホルダー３を螺合させた拡開締結ネジであって、キャップ２は、キャップ胴体２１と、キャップ脚部２３と、キャップ胴体２１の上部に接続した円盤状の爪付ワッシャー２２と、キャップ胴体２１に差込み貫通させたゴムパッキン２４からなり、キャップ胴体２１は円筒体で、その円筒体を下方向に延長させ、長尺状の切り込みをいれて複数個の細長片を形成し、各細長片を円筒体の中心軸に近づくように傾斜させたキャップ脚部２３を備え、ホルダー３は、円筒体であるホルダー胴体３１と、ホルダー胴体３１の円筒体を上方向に延長させた円筒体に長尺状の切り込みをいれて複数個の細長片であるホルダー脚部３２とからなり、ホルダー胴体３１の円筒体の下端部には、ボルト１と螺合する円筒ナット３３を設け、締結するときは、締結対象物に貫通孔を設け、その貫通孔に拡開締結ネジを通し、ボルト１を回転して締め続けると、円筒ナット３３の螺合によりホルダー胴体３１が上昇し、ホルダー脚部３２がキャップ脚部２３の傾斜にそって、ホルダー脚部３２が当接し、円状に外方向に広がり、締結対象物に当たり支持し、締結対象物を爪付ワッシャー２２とで挟むことにより締結対象物を締結することを特徴とする拡開締結ネジである。
【発明の効果】
【０００６】
板材同士を締結させるのに専用の工具を使用する必要がなく、相当な力も必要としない施工性の高い拡開締結ネジである。
【図面の簡単な説明】
【０００７】
【図１】本発明の拡開締結ネジの構成図。(a)ホルダーが閉じている状態  (b)ホルダーが開いている状態
【図２】本発明の拡開締結ネジの施工図。
【発明を実施するための形態】
【０００８】
図１は、本発明の拡開締結ネジの構成図を示す。
本発明の拡開締結ネジは、長尺状のボルト1にキャップ２を貫通させ挿入し、ホルダー３を螺合させた拡開締結ネジである。長尺状のボルト1にキャップ２を貫通させ挿入し、ホルダー３を螺合させた拡開締結ネジである。キャップ２は、キャップ胴体２１と、キャップ脚部２３と、キャップ胴体２１の上部に接続した円盤状の爪付ワッシャー２２と、キャップ胴体２１に差込み貫通させたゴムパッキン２４からなる。キャップ胴体２１は円筒体で、その円筒体を下方向に延長させ、長尺状の切り込みをいれて複数個の細長片を形成し、各細長片を円筒体の中心軸に近づくように傾斜させたキャップ脚部２３を備える。
【０００９】
ホルダー３は、円筒体であるホルダー胴体３１と、ホルダー胴体３１の円筒体を上方向に延長させた円筒体に長尺状の切り込みをいれて複数個の細長片であるホルダー脚部３２とからなる。ホルダー胴体３１の円筒体の下端部には、ボルト１と螺合する円筒ナット３３を設けている。複数の鋼板等の締結対象物を締結するときは、締結対象物に貫通孔を設ける。その貫通孔に拡開締結ネジを通し、ボルト１を回転して締め続けると、円筒ナット３３の螺合によりホルダー胴体３１が上昇し、ホルダー脚部３２がキャップ脚部２３の傾斜にそって、ホルダー脚部３２が当接し、円状に外方向に広がり、締結対象物に当たり、キャップ脚部２３である複数の細長片が締結対象物を支持し、締結対象物を爪付ワッシャー２２とで挟むことにより締結対象物を締結する。ボルト１は、ボルト頭部１１と、ネジをきったボルトネジ部１２からできている。ボルトネジ部１２は、ホルダー胴体３１の円筒体の下端部に設けた円筒ナット３３に螺合する。
【００１０】
図１の(a)は、ボルト１にキャップ２とホルダー３を貫通させ、ホルダー３のナット３３で螺合させ、ホルダー３が閉じている拡開締結ネジを示す。
図１の(ｂ)は、図１の（ａ）の状態から、さらに、ネジまわしン等でボルト１のボルト頭を回し、ボルト1のネジ部１２とホルダー３のナット３３とを螺合させて、ホルダ胴体３１を上昇させ、ホルダー脚部３２がキャップ脚部２３の傾斜にそって、ホルダー脚部３２が当接し、複数のホルダー脚部３２が円状に外方向に広がった状態を示す。円状に外方向に広がった複数のホルダー脚部３２が、キャップ胴体２１の爪付ワッシャー２２と、ホルダー脚部３２とで複数板等の締結対象物を締め付ける。
本発明の拡開締結ネジのキャップ２とホルダー３等の素材は、締結対象物の硬度により、鉄、樹脂などの素材を選択して用いる。
【００１１】
図２は本発明の拡開締結ネジの施工図である。
図２は、２つの板Ａと板Ｂを、本発明の拡開締結ネジで接続し締結した施行例をしめす。
まず、板Ａと板Ｂを合わせて、拡開締結ネジを通す位置に貫通孔を設ける。又は、予め同じ大きさの孔を開けた板Ａと板Ｂについて、孔の軸をあわせて貫通孔を構成する。
まず、拡開締結ネジを貫通孔に通し、ボルト１を回転しながら締め付けると、キャップ脚部２３とホルダー脚部３２とが当接し、さらに、ボルト１を回転しながら締め付けると、キャップ脚部２３の傾斜に、ホルダー脚部３２が当接し、その傾斜に添って複数の長尺片であるホルダー脚部３２が円状に外方向に拡がり、拡がったホルダー脚部３２が板Ｂに当たり（図２のＣ）、板Ｂを支持する。この板Ｂに当たったホルダー脚部３２と、キャップ胴体２１の爪付ワッシャー２２とで、板Ａと板Ｂを締め付ける。このとき、ホルダー脚部３２とキャップ脚部２３とは図２のＤに当接した状態である。２つの板Ａと板Ｂに開けた全ての貫通孔に、上記と同じ方法で拡開締結ネジを用いて２つの板Ａと板Ｂを締結する。
なお、締結対象物である複数の板は、鋼板でも、木材板、樹脂製、それらの組み合わせでも良い。
【産業上の利用可能性】
【００１２】
本発明の拡開締結ネジでは、複数枚の板材を締結するとき、専用の工具を使うことなく片側からの作業のみで、ボルトを締め付けて板材を締結させることができる。
【符号の説明】
【００１３】
１  ボルト
１１  ボルト頭部
１２  ボルトネジ部
２  キャップ
２１  キャップ胴体
２２  爪付ワッシャー
２３  キャップ脚部
２４  ゴムパッキン
３  ホルダー
３１  ホルダー胴体
３２  ホルダー脚部
３２１    ホルダー脚部の溝
３３  円筒ナット
Ａ、Ｂ  板
Ｃ    ホルダー脚部３２と板Ｂの当接
Ｄ    キャップ脚部２３とホルダー脚部３２と当接
【図１】
2011208734.tif 000003
【図２】
2011208734.tif 000004